(57)【要約】【課題】  上方からの押圧力に対してクッション作用を生じることを目的として、内側ビートと外被ビートとの二層ビートを、断面円形・楕円形の２層ビートとすること。【解決手段】中心部の内側ビートの周面を、流動体の外被ビートで包囲して構成したことを特徴とする二層ビート塗布材。ガンハウジングの内部に、その中心部の第１通路と、第１通路を包囲する第２筒状通路とを形成し、ガンハウジングの下端に、第１円形開口と、第２環状開口とを、第２環状開口で前記第１円形開口を包囲状態で形成する。第１通路に対して開閉作動する第１弁機構と、第２筒状通路に対する開閉作動する第２弁機構とを装備たことを特徴とする二層ビート塗布材塗布装置。【選択図】図３
2020182924.tif 000002
【特許請求の範囲】
【請求項１】
中心部の内側ビートと、該内側ビートの周面を包囲する流動体の外被ビートとで二層ビート塗布材を構成したことを特徴とする二層ビート塗布材
【請求項２】
前記二層ビート塗布材を、主剤の内側ビートと、被膜の外被ビートとの異種類ビート構成としたことを特徴とする請求項１に記載する二層ビート塗布材。
【請求項３】
前記二層ビート塗布材を、発泡メルトの内側ビートと、被膜メルトとの発泡メルト構成としたことを特徴とする請求項１に記載する二層ビート塗布材。
【請求項４】
前記二層ビート塗布材を、中空ビートの内側ビートと、被膜メルトとの中空ビート構成としたことを特徴とする請求項１に記載する二層ビート塗布材。
【請求項５】
ガンハウジングの内部に、その中心部の第１通路と、第１通路を包囲する第２筒状通路とを形成し、ガンハウジングの下端に、第１通路下端の第１円形開口と、第２筒状通路下端の第２環状開口とを、第２環状開口で前記第１円形開口を包囲状態で形成して、ガンハウジングの底面より、中心部の内側ビートと、該内側ビートの周面を包囲する外被ビートとを吐出させる塗布ガンを装備したことを特徴とする二層ビート塗布材塗布装置。
【請求項６】
ガンハウジングの内部に、その中心部の第１通路と、第１通路を包囲する第２筒状通路とを形成し、ガンハウジングの下端に、第１通路下端の第１円形開口と、第２筒状通路下端の第２環状開口とを、第２環状開口で前記第１円形開口を包囲状態で形成して、ガンハウジングの底面より、中心部の内側ビートと、該内側ビートの周面を包囲する外被ビートとを吐出させる塗布ガンを装備するとともに、
第１筒状通路に対する開閉作動する第１弁機構と、第２筒状通路に対する開閉作動する第２弁機構を装備したことを特徴とする二層ビート塗布材塗布装置。
【請求項７】
前記第１弁機構と、前記第２弁機構をガンハウジングの内部に装備したことを特徴とする請求項６に記載する二層ビート塗布材塗布装置。
【発明の詳細な説明】
【発明の詳細な説明名称】
【技術分野】
【０００１】  本発明は、二層ビート塗布材（断面円形・楕円形の２層ビートで構成する混合物）、および二層ビート塗布材の塗布装置に関するものである。
より詳しくは、流動体（液体、粘性のある液体（ジェル）、発泡剤・硬化剤・粉粒体を含む液体）の外被ビートを含む二層ビート塗布材、および二層ビート塗布材の塗布装置に関するものである。
【背景技術】
【０００２】  異なる成分の二類の流動体を塗布材とする公知技術として、特許文献１の、特開２０１４−２１４３２１号が存在する。
異なる成分の二種の流動体が供給されることを開示しているが、二種の流動体を互いに均一になるように混合させる混合装置であり、単一の混合流動体を吐出・供給している。【０００３】
【特許文献１】特開２０１４−２１４３２１
【発明の開示】
【発明が解決しようとする課題】
【０００４】  本発明は、図１４に示す如く、上方からの押圧力に対してクッション作用を生じることを目的として、内側ビートと外被ビートとの二層ビートを、断面円形・楕円形の２層ビートとすることを課題とする。
さらに、上記の二層ビートに関して、断面円形・楕円形の２層の塗布材であることで、塗布ガンのノズルの先端より吐出する塗布材は、均一な混合物ではなく、互いに独立していることを必要とし、ノズルの先端の吐出口において、内側ビートと外被ビートとを、互いに独立分離状態で、断面円形・楕円形の２層ビートとすることを課題とする。
【課題を解決するための手段】
【０００５】  本願第１発明は、中心部の内側ビートの周面を、流動体の外被ビートで包囲して構成したことを特徴とする二層ビート塗布材を提供する。
本願第２発明は、ガンハウジングの内部に、その中心部の第１通路と、第１通路を包囲する第２筒状通路とを形成し、ガンハウジングの下端に、第１通路下端の第１円形開口と、第２筒状通路下端の第２環状開口とを、第２環状開口で前記第１円形開口を包囲状態で形成して、ガンハウジングの底面より、中心部の内側ビートと、該内側ビートの周面を包囲する外被ビートとを吐出させることを特徴とする二層ビート塗布材の塗布装置を提供する。
本願第３発明は、本願第２発明に加えて、第１通路に対して開閉作動する第１弁機構と、第２筒状通路に対する開閉作動する第２弁機構とを装備たことを特徴とする二層ビート塗布材塗布装置を提供する。
【発明の効果】
【０００６】本発明は、二層ビート塗布材を塗布することにより、高さ・体積のあるビートの存在で、塗布面のクッション性を高めることができる。
【図面の簡単な説明】
【０００７】
【図１】本願発明の二層ビート塗布材の説明図。
【図２】本願発明の二層ビート塗布材塗布装置の基本的構成図。
【図３】二層ビート塗布ガンの縦断面図。
【図４】弁動作エアー回路の基本的構成図。
【図５】二層ビート塗布ガンの弁機構の要部を示す、部分拡大縦断面図。
【図６】図３のＳ６−Ｓ６線による断面図。
【図７】図３のＳ７−Ｓ７線による断面図。
【図８】図３のＳ８−Ｓ８線による断面図。
【図９】図３のＳ９−Ｓ９線による断面図。
【図１０】弁機構のＯＮ作動時を示す、図３同様の縦断面図
【図１１】弁機構のＯＦＦ作動時を示す、図３同様の縦断面図。
【図１２】弁機構のＯＦＦ作動時を示す、図３同様の縦断面図。
【図１３】二層ビート塗布材の説明図。
【図１４】二層ビート塗布材のクッション作用の説明図。
【発明の好ましい実施形態】
【０００８】  本願第１発明の二層ビート塗布材は、第１流動体または空気で構成された内側ビートと、第２流動体で構成された外被ビートとの、二層構造である。
第２流動体の外被ビートは、第１流動体の内側ビートの周面を包囲している。
【０００９】  本願第２発明の二層ビート塗布材塗布装置は、ガンハウジング１０と、第１筒状通路１に第１流動体または空気Ｒ１を供給するための、第１流動体供給装置２１と、第２筒状通路２に第２流動体Ｒ２を供給するための、第２流動体供給装置２２と、を設ける。
ガンハウジング１０の内部に、その断面視中心部に位置する第１通路１と、第１通路を包囲する第２筒状通路２とを形成し、ガンハウジング１の下端には、第１筒状通路１の第１円形開口１ａと、該第１円形開口１ａを包囲する第２環状開口２ａとを、互いに独立した状態で形成している。
【００１０】  本願第３発明の二層ビート塗布材塗布装置は、本願第２発明に加えて、塗布ガンは、第１通路１に対する第１流動体または空気Ｒ１の供給をＯＮ／ＯＦＦ作動するための第２弁機構２０ａと、第２筒状通路２に対する第２流動体Ｒ２の供給をＯＮ／ＯＦＦ作動するための第２弁機構２０ｂとを装備する。
【実施例】
【００１１】  図１を参照して、本願第１発明の二層ビート塗布材の実施例を説明する。
Ａ段は、内側ビートＲ１を主剤、外被ビートＲ２を被膜とする、異種類ビート構成の二層ビート塗布材Ｗａを示す。
Ｂ段は、内側ビートＲ１を発泡メルト、外被ビートＲ２を被膜メルトとする、発泡メルト構成の二層ビート塗布材Ｗｂを示す。
Ｃ段は、内側ビートＲ１を中空メルト、外被ビートＲ２を被膜メルトとする、中空ビート構成の二層ビート塗布材Ｗｃを示す。【００１２】  本願発明の二層ビート塗布材塗布装置の基本的構成を説明する。
図２を参照して、その断面視中心部に位置する第１通路１と、第１通路１を包囲する第２筒状通路２とを形成したガンハウジング１０を設ける。
ガンハウジング１０の下端には、第１筒状通路１の第１円形開口１ａと、該第１円形開口１ａを包囲する第２環状開口２ａとを、互いに独立した状態で形成されている。【００１３】  第１流動体タンク２２ａ、第１ギャーポンプ２３ａよりなる第１流動体供給部２１ａを設けて、第１通路１に対する第１流動体または空気Ｒ１を供給する。
第２流動体タンク２２ｂ、第２ギャーポンプ２３ｂよりなる第２流動体供給部２１ｂを設けて、第２通路２に対する第２流動体Ｒ２を供給する。【００１４】  次に、図３に示す実施例の二層ビート塗布材塗布装置においては、図２の実施例における第１流動体制御弁２４ａ及び第２流動体制御弁２４ｂに変えて、第１筒状通路１に対する開閉作動する第１弁機構３０ａと、第２筒状通路２に対する開閉作動する第２弁機構３０ｂを装備するとともに、図４に示す弁動作エアー回路４０を設ける。【００１５】  ガンハウジング１０内の第２筒状通路２を形成する垂直筒状空間内に、筒状弁体３２を挿入して、筒状弁体３２内に中心空間を形成する。
中心空間内に棒状弁体３１を挿入する。【００１６】  筒状弁体３２内に中心空間を形成する。中心空間内に棒状弁体３２と、筒状弁体３１との間に形成された空間で、第１筒状通路１’を形成する。【００１７】  筒状弁体３２の上部に第２ピストン３３を固定し、棒状弁体３１の上部に第１ピストン３４を固定する。第１ピストン３４を上下駆動用の操作エアーを供給する第１弁操作エアー回路３５と、第２ピストン３３を上下駆動用の操作エアーを供給する第２弁操作エアー回路３６を設ける。【００１８】  第１筒状通路１に対する開閉作動する第１弁機構３０ａは、第１筒状通路１’内の棒状弁体３１と、第１ピストン３４とで構成する。
第２筒状通路２に対する開閉作動する第２弁機構３０ｂは、第２筒状通路２内の筒状弁体３２と、第２ピストン３３とで構成する。【００１９】  なお、実施例においては、筒状弁体３２の下端に内方弁座３６を形成して、棒状弁体３１の下方位置において、棒状弁体の下端と筒状弁体３２の下端の内方弁座３６との密着により、第１筒状通路１’に対してＯＦＦ作動している。【００２０】  第２筒状通路２の下端を規制するハウジング弁室面３８を形成するとともに、筒状弁体３２の下端に外方弁座３７を形成して、棒状弁体３１の下方位置において、棒状弁体の下端の外方弁座３７とハウジング弁室面３８との密着により、第２筒状通路２に対してＯＦＦ作動している。【００２１】  つぎに、本発明の二層ビート塗布ガンの作用を説明する。
弁動作エアー回路４０ａ、４０ｂの制御により、第１弁機構３０ａおよび第２弁機構３０ｂに対して、第１筒状通路１、第２筒状通路２に対するＯＮ／ＯＦＦ作動を、独立して選択可能とする。【００２２】  図１１は、第１筒状通路１、第２筒状通路２の両方をＯＮ作動させて、二層ビートの吐出状態を示している。
すなわち、第２ピストン３３を上方位置として棒状弁体３２を上昇位置とすることで、第１筒状通路１を開口するとともに、第１ピストン３４を上方位置として筒状弁体３１を上昇位置とすることで、第２筒状通路２を開口している。【００２３】  図１２は、第１筒状通路１、第２筒状通路２の両方をＯＦＦ作動させて、二層ビートの吐出停止の吐出状態を示している。
すなわち、第２ピストン３３を下方位置として棒状弁体３２を下方位置とすることで、第１筒状通路１を封鎖するとともに、第１ピストン３４を下方位置として筒状弁体３１を下方位置とすることで、第２筒状通路２を封鎖している。【００２４】  ビートの塗布量は調整可能であり、図１３は、塗布量とギャーポンプの回転数との関係を示している。【００２５】  二層ビート塗布材の形状は、種々選択できるものである。図１４は、その一例を示す。Ａ段は、全長の変化、Ｂ段は、ビート断面形状、Ｃ段は、端面の変化を示す。【００２６】  実施例のデータを参考までに、列挙する。
１．内側ビート：ゴム系感圧タイプホットメルト、４５００ｃｐｓ／摂氏１６０度
２．外側ビート：ＥＶＫホットメルト、７，０００ないし１６，０００ｃｐｓ／摂氏１６０度
３．タンク、ギャーポンプ、ホースは、２台を使用して、温度を摂氏１６０度に設定
４．塗布ガンのＯＮ／ＯＦＦ操作エアー圧：０．４Ｍｐｓ
５．塗布量は内側と外側ともほぼ同じ
内側ビートと外側ビートとの塗布量調整は可能である。比率は１：５または５：１を確認した。【００２７】  本発明の二層ビートは、弾性（クッション性）に優れている、ビートの長さ方向に伸縮性がある、離型性に優れた部材に適用できる、などの効果を有する。【００２８】  本発明の二層ビートの用途例として、
自動車：ヘッドランプ、テールランプ、ガスケット
建材：外壁ボードのシール
衛材：  紙おむつ、弾性体
その他：パッキン類
が存在する。
【産業上の利用可能性】
【００２９】  本発明の二層ビートは、弾性（クッション性）に優れていることで、自動車、建材、衛材などの広範囲の用途を有し、この種の産業発展に寄与するものである。
【符号の説明】
【００３０】  Ｒ１    内側ビート
Ｒ２    外被ビート
１      筒状通路
１ａ    第１円形開口
２      第２筒状通路
２ａ    第２環状開口
１０    ガンハウジング
２１    第１流動体供給装置
２２    第２流動体供給装置
３０ａ  第１弁機構
３０ｂ  第２弁機構
３１    棒状弁体
３２    筒状弁体
３３    第２ピストン
３４    第１ピストン
４０    弁動作エアー回路
【図１】
2020182924.tif 000003
【図２】
2020182924.tif 000004
【図３】
2020182924.tif 000005
【図４】
2020182924.tif 000006
【図５】
2020182924.tif 000007
【図６】
2020182924.tif 000008
【図７】
2020182924.tif 000009
【図８】
2020182924.tif 000010
【図９】
2020182924.tif 000011
【図１０】
2020182924.tif 000012
【図１１】
2020182924.tif 000013
【図１２】
2020182924.tif 000014
【図１４】
2020182924.tif 000015
【図１３】
2020182924.tif 000016